(57)【要約】  スポーツ用具用ハンドルは管状体（７）を備え、該管状体は、長軸（Ｌ）に沿って延在し、ユーザが握るように適合される外周面（８）を有し、縁部（１０）に対応して並ぶ複数の長手面（９）で成形されてユーザが握る手の指関節の位置決めを簡易化する。縁部（１０）は、上記長軸（Ｌ）を中心に相互に正反対で展開する少なくとも一対の渦巻又は螺旋路に沿って配置され、上記各長手面（９）を、ユーザの握る手の対応する指骨を収容するサイズの複数の領域又は平坦面（１１）に分割し、上記領域又は平坦面（１１）はそれぞれ、対を成す渦巻又は螺旋路のそれぞれの少なくとも一対の縁部（１０、１０’）によって周方向に区切られる。
2019500995.tif 000002
【特許請求の範囲】
【請求項１】
長軸（Ｌ）に沿って延在する管状体（７）と、ユーザが把持するように適合される外周面（８）と、を備えるスポーツ又は作業用具用ハンドルであって、
前記外周面（８）は、ユーザの握る手の指関節の位置決めを簡易化するように適合された縁部（１０）と対応して並列に並んだ複数の長手面（９）を備えて成形され、
前記縁部（１０）は、前記長軸（Ｌ）の周囲に相互に正反対で展開される少なくとも一対の渦巻又は螺旋路に沿って配置されて、前記各長手面（９）をユーザが握る手の対応する指骨を収容するサイズの複数の領域又は平坦面（１１）に分割し、前記領域又は平坦面（１１）がそれぞれ、前記少なくとも一対の渦巻又は螺旋路のそれぞれの少なくとも一対の縁部（１０、１０’）によって周方向に区切られる、ハンドル。
【請求項２】
前記渦巻又は螺旋路が略同一の縦ピッチを有する、請求項１に記載のハンドル。
【請求項３】
前記ピッチが前記長軸に沿って一定である、又は可変である、請求項２に記載のハンドル。
【請求項４】
前記縁部（１０、１０’）が、相互に正反対である複数対の渦巻又は螺旋路に沿って配置されて、各自の二重螺旋を画定する、請求項１又は２に記載のハンドル。
【請求項５】
前記複数対の渦巻路のそれぞれにおいて、前記縁部（１０、１０’）が略直線的であり、前記長軸（Ｌ）に対して傾斜角（α、α’）で傾斜し、他方の渦巻路の縁部（１０、１０’）と同一の構造で正反対であり、略六角形の平面形状の対応する領域又は平坦面（１１）を区切る、請求項３に記載のハンドル。
【請求項６】
前記縁部（１０、１０’）が曲線から成る、請求項３に記載のハンドル。
【請求項７】
前記領域又は平坦面（１１）が略凹状である、又は内向きの凹部を有する、請求項１に記載のハンドル。
【請求項８】
前記領域又は平坦面（１１）のそれぞれが、前記長軸（Ｌ）に直交する対称面に対して相互に傾斜する一対の平坦面部（１３、１４）によって形成される、請求項６に記載のハンドル。
【請求項９】
前記領域（８１１）のそれぞれが穿孔される、請求項６に記載のハンドル。
【請求項１０】
前記管状体（８７）が、端部で開放され、各自の長手面（８１９）に沿って延在する１以上の長手通気路（８１８）を備える、請求項１〜９のいずれか一項に記載のハンドル。
【請求項１１】
ユーザが握るように適合されるグリップ部を備え、前記グリップ部に適用される請求項１〜１０のいずれか一項に記載のハンドル（３）を備えることを特徴とするスポーツ又は作業用具。
【請求項１２】
前記ハンドル（３）が前記グリップ部と一体である、請求項１１に記載の用具。
【請求項１３】
前記ハンドル（３）が前記グリップ部に脱着可能に適用される、請求項１１に記載の用具。
【請求項１４】
テニス、卓球、バドミントン用のラケット、ゴルフクラブ、又は類似のスポーツから成る群から選択されるスポーツ用具である、請求項１１に記載の用具。
【発明の詳細な説明】
【技術分野】
【０００１】
本発明は、スポーツ用具、特にボールを打つように設計されたテニスラケットなどのスポーツ用具に適用可能なスポーツ用具用ハンドル、又はハンドルを装備した作業用具の技術分野に関する。また、本発明は、ハンドルを備える用具に関する。
【背景技術】
【０００２】
テニス、ビーチテニス、バドミントン、パドル、スカッシュなどのラケットスポーツは、ボールを打つように設計される用具部分であるヘッドと、用具を握るために設計され、手を載せて用具自体を制御するハンドルとを備える、一般的にはラケットと呼ばれる用具の使用を含む。
【０００３】
多くのラケットは、ラケットのヘッドとハンドルとの間に配置されるスロートも備える。
【０００４】
ラケットのハンドルは概して、パレットと呼ばれるシェル又は２つの対称半シェルを備え、パレットは接着剤によって組み付けられ、ロッド及び存在する場合はスロートに固着されて、ヘッドと共にラケットのフレームを成す。
【０００５】
通常、パレットに糊付けする又はステープルで固定することのできるキャップは、ラケットの端部でシェル又は２つの半シェルの上方に位置する。
【０００６】
一般的にはグリップと称されるリボンは、キャップとパレットとを備えるアセンブリに渦巻状に巻き付けられて、接着剤によりパレットに固定される。
【０００７】
一般的に、ハンドルは八角形基部を有する平行六面体の形状であり、展開する全体にわたって略一定であるが、例外として、ラケットのヘッド又は存在する場合はスロートの部分では、ヘッド又はスロートと接合するように先細となり、キャップ部分では拡張する。
【０００８】
したがって、この八角形基部を有する平行六面体は、一般的には平坦面と称される略平面状の８つの細長面を備える。
【０００９】
８つの平坦面は相互に隣接し、それらの交差部分が、ハンドル及びラケットの長軸に沿って略平行に延びる８つの縁部を形成する。
【００１０】
ゲーム中、プレーヤはハンドルを通じてラケットを握っており、プレーヤのスキルは様々なショットを行い、ボールに様々な回転作用を加える方法を知ることでもあるため、ストロークから次のストロークの実行間に、プレーヤがハンドル上で指骨と手のひらの位置を変更することはごく一般的である。
【００１１】
たとえば、フォアハンドを実行する握り方は、バックハンドを実行する握り方、及びサーブを実行する握り方とも異なる。
【００１２】
にもかかわらず、ストロークの種類毎に、ボールに様々な回転を加える技術がいくつかあり、相互に異なるラケットの扱い方を提供する。
【００１３】
また、各プレーヤの固有のスタイルにより、実行したいストロークと、ボールに加える作用とに応じて、誰もが独特のラケットの持ち方を有する。
【００１４】
したがって、プレーヤは、ゲーム中にラケットの持ち方を絶えず変更しなければならず、また、飛んでくるボールを観察することに集中しているためにハンドルを見ることができない。
【００１５】
このため、平坦面の交差部分によって形成される縁部の重要性は、経験の豊富なプレーヤが自らの触覚感度に頼って、実行したいと思うショットに応じて適切に用具を把持するために必須である。
【００１６】
今日、八角形基部を備えた平行六面体状のハンドルは、より多くの可能なショットを最大限の快適さで可能な限り多くのプレーヤに適切に実行させる最善の妥協策として一般的に認められている。
【００１７】
しかしながら、八角形基部を備えた平行六面体形状が示すように、ハンドルの長軸に平行に延在する平坦面と、２つの隣接する平坦面の交差部分によって形成される縁部とは、手の指をハンドルにしっかりと快適に密着させるための可能な限り最善の構造を提供していない。
【００１８】
これは複数の理由によるもので、１つ目の理由は、指の長さが異なるために、近位指骨と中間指骨をつなぐ関節と中間指骨と遠位指骨をつなぐ関節とが均等な距離を占めないことである。
【００１９】
２つ目の理由は、平坦面の平面形状と接触する親指の種子骨の隆起部によって、親指の指骨がハンドルに十分に密着せず、筋肉の及ぼす力が大きくなっても、親指でハンドルをさらに締め付ける助けとならないことである。
【００２０】
さらに、平坦面の平面形状と接触する第２及び第５の中手骨の先端の隆起部によって、手のひらがハンドルに快適に密着しない。
【００２１】
さらに、プレーのテクニックにより、ショットを実行するとき、手の指はハンドルの長手部分に垂直に配置されず、ハンドルの長軸に対して斜めにハンドルを覆う。
【００２２】
その結果、八角形基部を備えた平行六面体のハンドルでは、平坦面の交差部分によって形成される縁部は、ハンドル上の指の自然な位置に垂直になることはない。
【００２３】
これらの問題を克服するため、特に初心者のプレーヤ用に設計された用具の場合、非常に軟らかく厚いグリップが使用されて、把持する際に優れた快適さを提供する。このように、手の形状に順応させるには、グリップの材料の可撓性に依存しなければならない。
【００２４】
グリップは、様々な形状を含む部分を備えるように設計され、各種材料で製造されることによって他の機能を果たし、プレーヤがゲームのプレー中に経験する可能性のあるその他の欠点に対処することができる。
【００２５】
弾性又は粘弾性材料で製造される場合、グリップはボールが打たれるときにフレームから生じる振動を吸収する機能を果たし、こうした振動は有害となり、訓練や経験の少ないプレーヤの手首や肘にとって問題となる場合がある。
【００２６】
粘着性の接触面をもたらす吸水材料で製造される場合、グリップは手の発汗によるハンドルの滑りを促進する。
【００２７】
大部分のプレーヤは、ハンドルの滑りやすさを軽減するため、グリップ上に渦巻状に巻かれた吸水材料製の１以上のオーバーグリップ、すなわち、リボンを使用する。
【００２８】
このやり方はグリップ及びオーバーグリップが良好な保存状態にあるとき有効であるが、オーバーグリップの適用がハンドルの八角形部分の径を変更させるという事実に伴う欠点をいくつか備える。
【００２９】
特に、オーバーグリップの適用は、平坦面の交差部分によって形成される８つの縁部の面取りを含む。
【００３０】
結果的に、厚いグリップを適用し、さらにオーバーグリップと組み合わせた場合は、快適さの向上と発汗作用の対策には有効であるが、触覚の感度と用具の制御能力を低下させる。
【００３１】
にもかかわらず、ハンドル上での手の経常的な擦れや手からの発汗の停滞が、グリップ及びオーバーグリップの材料の元々の特徴を素早く劣化させ、数時間のゲームの間に本来備わった特性を無に帰することになる。
【００３２】
これまで、ラケットのハンドルの快適さに関連する欠点を解消しようといくつかの試みがなされてきた。
【００３３】
たとえば、ＵＳ２０１０００５６３０８Ａ１では、元のパレットの上にプラスチック製のインサートを配置して、人間工学的なハンドルを作製している。
【００３４】
しかしながら、このシステムの目的は、手のひらをハンドルに密着させるという課題を解決することであるが、ハンドルを締め付ける力を加える指の密着性と快適さの問題を解決することの方が重要である。
【００３５】
ＵＳ６１４９５３８Ａ及びＵＳ４１０８４３６Ａは、グリップ下の空気循環を向上させるいくつかの解決策について記載している。
【００３６】
これらの解決策は、フレームのロッド構造の変更を提供しているため、既にラケットを所有しているユーザにとっては有用でなく、新しいツールの製造段階でのみ挿入することができる。
【００３７】
そして、フレーム構造を変更しなければならないため、ラケット全体の構造上の安定性の評価と、新たな金型の取得のために相当なコストを支払う必要がある。
【００３８】
ＵＳ８３２３１３０Ｂ１は、グリップの快適さとハンドルの反応性を向上させることを目的に、長手インサートを縁部に設けたラケット用ハンドルを開示している。しかしながら、この場合でも、ゲーム中に様々な位置に手が置かれる場合があることに関連する欠点は解決されていない。
【００３９】
ＥＰ２４０１０４２Ｂ１は、様々なグリップ状況での指骨用の穴を設けたハンドルを開示しているが、プレーヤ間で異なる握り方を考慮に入れずに、プレーヤの指骨を強制的に所定位置に保持するものである。
【発明の概要】
【００４０】
本発明の目的は、上記の欠点を克服し、特に効率的かつ経済的であるスポーツ又は作業用具用グリップを提供することである。
【００４１】
本発明の特定の目的は、アクション中の手の回転後も最大限の快適さとエルゴノミクスを提供しつつ、用具を常時しっかりと把持すると同時に、最大限の密着度を確保するスポーツ又は作業用具用ハンドルを提供することである。
【００４２】
さらに別の目的は、ラケットを良好に握らせ、グリップ及びオーバーグリップが存在する場合でも、プレーヤの触覚感度を高めるスポーツ用具用ハンドルを提供することである。
【００４３】
また、本発明の目的は、ユーザが必要とする場合には、手の発汗に関連する問題に有効に対処するように適合させることができるハンドルを提供することである。
【００４４】
本発明の別の目的は、上記の特徴を有し、有効かつ費用効果の高い方法で生産、製造、及び実装することができるハンドルを提供することである。
【００４５】
別の目的は、隣接する領域又は平坦面の交差部分によって形成される縁部が様々な用具把持モードにおいて、より人間工学的で快適であるスポーツ又は作業用具用ハンドルを提供することである。
【００４６】
具体的には、本発明の目的は、隣接する平坦面の交差部分によって形成される一連の縁部を備え、該縁部が複数の用具把持モードにおいて、隣接する指骨をつなぐ関節に位置するハンドルを提供することである。
【００４７】
より詳細には、本発明の目的は、隣接する平坦面の交差部分によって形成される一連の縁部を備え、該縁部が好ましくは、複数の用具把持モードにおいて、ハンドル上の指の自然な位置に対して垂直又は平行に位置するハンドルを提供することである。
【００４８】
本発明の目的は、平坦面が様々な用具把持モードにおいて、より人間工学的かつ快適であるハンドルを提供することである。
【００４９】
具体的には、本発明の目的は、多くの用具把持モードにおいて、指先、種子骨、尺骨の茎状突起、第２及び第５の中手骨の先端などの手の主要な外転及び突起に対応する位置に一連の領域又は平坦面を設けたハンドルを提供することである。
【００５０】
より詳細には、本発明の目的は、複数の用具把持モードにおいて、手の主要な突起と良好に連結させるハンドルを提供することである。
【００５１】
本発明のさらに別の目的は、発汗に対抗するためグリップ下の空気循環を向上させるスポーツ用具用ハンドルを提供することである。
【００５２】
これらの目的及び以下でさらに明らかになる別の目的は、請求項１に記載のスポーツ又は作業用具用ハンドルによって達成され、該ハンドルは、長軸に沿って延在し、ユーザが把持するように適合された外周面を有する管状体を備え、外周面は上記長軸に沿って延在する縁部を備えた複数の隣接する長手面で成形されて、ユーザの握る手の指関節の位置決めを簡易化する。
【００５３】
縁部は、上記長軸を中心に正反対で展開する少なくとも一対の渦巻又は螺旋路に沿って配置されて、上記各長手面を、ユーザの握る手の対応する指骨を収容するサイズの複数の領域又は平坦面に分割し、上記領域のそれぞれが、上記対の他方の渦巻又は螺旋路の少なくとも一対の縁部によって周方向に区切られる。
【００５４】
この特徴の組み合わせのおかげで、ハンドルがどの握り状態でも、ハンドルに対する回転時においても快適かつ人間工学的な手の配置を常に確保する。
【００５５】
実際には、縁部の特有の配置により、縁部は複数の用具把持モードにおいて、隣接する指骨をつなぐ関節と同じ位置に配置されて、手の主要な突起と良好に連結される。
【００５６】
さらに、平坦面の連続的及び均一な分布により、いくつかの面が常に適切な位置に配置されるため、任意の手のサイズに対してグリップのエルゴノミクスが確保される。
【００５７】
適切には、上記渦巻又は螺旋路は、縁部の位置を手の各指の典型的な構造に適合させることによって、エルゴノミクスをさらに向上させるように上記長軸に沿って一定又は可変にすることができる略同一の縦ピッチを有することができる。
【００５８】
有利には、領域又は平坦面は略凹状である、又は内向きに窪んでおり、どの把持モードでもより人間工学的かつ快適な平坦面を提供する。
【００５９】
簡便なことに、上記領域はそれぞれ快適で軽量なグリップを実現するように穿孔することができる。
【００６０】
特に、グリップ又はオーバーグリップ下の空気循環を向上させ、発汗に対抗するため、管状体は、端部で開放されて各自の縦列の面に沿って延在する１以上の長手通気路を含むことができる。
【００６１】
本発明の有効な実施形態は従属請求項により得られる。
【図面の簡単な説明】
【００６２】
本発明の別の特徴及び利点は、本発明によるスポーツ用具用ハンドルのいくつかの好適だが非限定的な実施形態に関する詳細な説明に鑑み、さらに自明となるであろう。これらの実施形態は添付図面を参照する非限定的な例である。
【図１】第１の好適な実施形態によるハンドルを設けたスポーツ用具の斜視図である。
【図２】図１の用具のハンドルの第１の側面図である。
【図３】図１の用具のハンドルの第２の側面図である。
【図４】図１の用具のハンドルの前面図である。
【図５】第２の好適な実施形態によるハンドルを設けたスポーツ用具の斜視図である。
【図６】図５の用具のハンドルの第１の側面図である。
【図７】図５の用具のハンドルの第２の側面図である。
【図８】第３の好適な実施形態によるハンドルを設けたスポーツ用具の細部の斜視図である。
【図９】図８の用具の第１の側面図である。
【図１０】図８の用具のハンドルの第２の側面図である。
【発明を実施するための形態】
【００６３】
添付図面を参照すると、本発明によるハンドルの好適だが排他的ではない３つの実施形態がスポーツ用具に適用されている。
【００６４】
具体的には、全体が１で示されるスポーツ用具は、典型的には、スロート５を通じてヘッド４に接合されるハンドル３を有して形成されるフレーム２を備えるテニスラケットである。既知の形態では、ヘッド４にガット６も設けられる。
【００６５】
ヘッド４とスロート５はいずれも本発明の必須要素ではないため、特に限定されずどんな様式でも実現することができるので、以下さらに詳細には説明しない。
【００６６】
本発明によるハンドル３は、必要な改変を加えて、卓球、スカッシュ、バドミントン用のラケット、ゴルフクラブ、野球のバットなどの他のスポーツ用具、特に、ゲームの様々な段階で異なる握りモードを要するすべての用具に対して同様に適用することができる。
【００６７】
さらに、ハンドルは、堅固な握りを必要とする作業用具又はツールにも適用することができ、握る位置はドリル、ドライバー又は類似のツールの場合のように、使用モードに応じて変動する場合がある。
【００６８】
さらに、ハンドルは、用具と別体に作製された後に固定的又は脱着可能に適用する、あるいは、用具上に直に固定的又は脱着可能に作製することができる。
【００６９】
図１はスポーツ用具１の第１の実施形態を示しており、図示されるとおり、ハンドル３は長軸Ｌに沿って延在し、ユーザが把持するように適合された外周面８を有する管状体７を備える。
【００７０】
外周面８には、複数の縁部１０を有して相互に並ぶ複数の長手面９が成形され、該長手面は長軸Ｌに沿って延在して、ユーザの握る手の指関節を配置しやすくする。
【００７１】
図２及び３でより明確に示されるように、縁部１０は、長軸Ｌを中心に正反対で延在する、破線で示された少なくとも一対の渦巻又は螺旋路に沿って配置される。
【００７２】
このように、長手面９はそれぞれ、長手方向に配列され寸法を設定される複数の領域又は平坦面１１に分割されて、ハンドル３の複数の握りモードで、ユーザの握る手の対応する指骨、又は手の主要な節及び突起、たとえば、指先、種子骨、尺骨の茎状突起、第２及び第５の中手骨の先端などを収容することができる。
【００７３】
好適な様式では、領域又は平坦面１１は同一の形状とサイズを有し、最大サイズでは、同じ螺旋部の２つの連続縁部１０間の距離が１０ｍｍ〜３０ｍｍ、好ましくは約２０ｍｍである。
【００７４】
領域又は平坦面１１は、対を成す２つの異なる螺旋路のそれぞれの２対の連続縁部１０によって周方向に区切られる。
【００７５】
また、図面から分かるように、縁部１０は正反対である複数対の渦巻又は螺旋路に配置されて、二重螺旋を画定する。
【００７６】
このように、各長手面９は複数の連続する隣接領域又は平坦面１１に分割される。
【００７７】
図示する実施形態では、渦巻又は螺旋路はすべて、略一定の同一の縦ピッチ値を有する。
【００７８】
しかしながら、図示しない別の変形によると、ピッチは可変とすることができ、様々な螺旋路に合わせてピッチを異ならせることができる。
【００７９】
さらに、図示する実施形態では、縁部１０は略直線的であり、長軸Ｌに対して同一の傾斜角αで傾斜している。
【００８０】
さらに、一方の螺旋路の縁部１０の傾斜角αは、対応対の他方の螺旋路の縁部１０’の傾斜角α’と同一の構造で正反対であり、略六角形の平面形状を有する対応領域１１を区切る。
【００８１】
好適だが排他的ではない図示される実施形態では、領域又は平坦面１１は六角形であり、その２つの横断面が同一対の異なる螺旋部に属する縁部１０、１０’を接合し、螺旋部間の距離は１５ｍｍ〜２５ｍｍ、好ましくは１８ｍｍ〜２２ｍｍ、さらに好ましくは約２０ｍｍである。
【００８２】
相互に対向する縁部１０、１０’を接合する対角面間の距離は、１０ｍｍ〜３０ｍｍ、好ましくは約２０ｍｍである。
【００８３】
しかしながら、この場合でも、実施形態によっては、同一の螺旋路でも複数の螺旋路間でも可変の角度を設けることができる。また、縁部１０、１０’は非直線状であり、たとえば、長軸Ｌに対して傾斜した横断面を延びる曲率で湾曲させることができる。
【００８４】
領域又は平坦面１１は、内向きに凹み、共通の中間縁部１４に収束する２つの台形部１２、１３によって形成され、該縁部は略横断状であり、長軸Ｌに直交する各領域１１の対称面に属する。
【００８５】
ハンドル３は基部１５によって底部が閉鎖され、対応する領域又は平坦面１１と対応するように、基部自身が長手面９と対応する形状をとることができる。
【００８６】
同様に、ハンドル３の上端１６は、用具１のスロート５に対して適切なアール形状の複数の窪み１７を有するように成形することができる。
【００８７】
ハンドル３は一体として実現することができる、又は接着剤又はこの種のスポーツ用具にとって一般的なその他の固定手段を用いて接着することによって用具１のフレーム２に連結するように適合された一対の対称半シェルを用いて形成することができる。
【００８８】
具体的には、接着剤は、工場での組立中に除去不能に塗布することができる、又は既に用具を所有するユーザによって除去可能又は交換可能とすることができる。
【００８９】
図５は、長手面５９が分割される領域又は平坦面５１１が凹状であるという点で、前のハンドルとは本質的に異なるハンドル５３の第２の実施形態を示す。
【００９０】
また、縁部５１０は、手の構造に順応し快適さを確実に向上させるように、完全に直線的ではなく、わずかに湾曲している、具体的には、窪んでいる。
【００９１】
図８の実施形態では、領域又は平坦面８１１は図１の実施形態の領域又は平坦面と略同様の平面形状を有するが、内方へ穿孔されてハチの巣形状を画定する。
【００９２】
管状体８７は、空気循環を促進し、手の発汗に対抗するように、端部で開放され各自の縦列の面に沿って延在する１以上の長手通気路８１８をさらに備える。
【００９３】
通気路８１８はハンドル３の長軸Ｌに平行であり、ハンドルの周面の長手延長部の全部または一部に沿って延在し、平坦面１１の凹状又は窪んだ表面と交差させることができる。
【００９４】
通気路は、開示された最初の２つの実施形態又は本発明による任意の実施形態でも設けることができる。
【００９５】
既知のやり方で、ハンドル３、５３、８３は、市販の製品から選択される図示しないグリップ又はオーバーグリップで被覆することができ、それらは従来の方法で、すなわち、渦巻状に巻かれるリボンを用いたり、接着剤又は他の方法を用いたりして、ハンドルに固定することができる。
【００９６】
上記の説明から明らかなように、本発明によるハンドルは意図する目的を達成する、具体的には、どんな手の配置モードでもグリップに対して高い快適さやエルゴノミクスを確実に提供する。
【００９７】
ハンドルは、添付の請求項に記載される発明の概念に属する様々な変更及び変形を行うことができる。さらに、細部はすべて他の技術上等価な構成要素と置き換えることができ、材料も本発明の保護範囲から逸脱せずに、要件に応じて変更することができる。
【図１】
2019500995.tif 000003
【図２】
2019500995.tif 000004
【図３】
2019500995.tif 000005
【図４】
2019500995.tif 000006
【図５】
2019500995.tif 000007
【図６】
2019500995.tif 000008
【図７】
2019500995.tif 000009
【図８】
2019500995.tif 000010
【図９】
2019500995.tif 000011
【図１０】
2019500995.tif 000012
【国際調査報告】
2019500995.tif 000013
2019500995.tif 000014
2019500995.tif 000015